(57)【要約】【課題】通帳に印字されている預金残高や取引内容等が、周囲にいる他人に見られたり、不正に取り付けられたカメラで盗撮されるのを防止することで、セキュリティを向上させた通帳処理装置を提供する。【解決手段】ＡＴＭ１は、通帳を受け付けて行った取引処理の終了時に、通帳を開いた状態で放出するか、表表紙を上にして閉じて放出するか、さらには裏表紙を上にして閉じて放出するかの選択を受け付ける。そして、表表紙を上にして閉じて放出、または裏表紙を上にして閉じて放出、が選択されたときには、捲り／閉じ部４５で、通帳２０を選択された状態に閉じて放出する。【選択図】図４
2007328452.tif 000002
【特許請求の範囲】
【請求項１】
開いた状態で通帳挿入口に挿入された冊子状の通帳を搬送路に沿って本体内部に取り込む方向、および本体内部に取り込んだ冊子状の通帳を前記搬送路に沿って前記通帳挿入口から放出する方向に選択的に搬送する通帳搬送手段と、
前記通帳搬送手段により開いた状態で印字位置に搬送された通帳に対して、この開かれている頁に印字する印字手段と、
前記搬送手段により開いた状態で通帳閉じ位置に搬送された通帳を閉じる通帳閉じ手段と、
前記通帳搬送手段により本体内部に取り込んだ通帳を前記通帳挿入口から放出するときに、この通帳を開いた状態で放出するか、または閉じた状態で放出するかの設定を行う放出状態設定手段と、
前記放出状態設定手段により、通帳を閉じて放出する設定がなされている場合、前記通帳搬送手段が開いた状態で本体に取り込んだ通帳を、前記通帳閉じ手段で閉じた後に、この閉じた通帳を前記通帳搬送手段により前記搬送路に沿って搬送し、前記通帳挿入口から放出する放出制御手段と、を備えた、
通帳処理装置。
【請求項２】
前記通帳閉じ手段は、表表紙を上にして通帳を閉じる第１の通帳閉じ機構、および裏表紙を上にして通帳を閉じる第２の通帳閉じ機構を有する手段であり、
前記放出状態設定手段は、通帳を閉じた状態で表表紙を上にして放出するか、裏表紙を上にして放出するかの設定を行う手段であり、
前記放出制御手段は、前記放出状態設定手段により通帳を閉じた状態で表表紙を上にして放出する設定がなされている場合には、前記通帳閉じ手段の前記第１の通帳閉じ機構により表表紙を上にして閉じた通帳を前記通帳搬送手段により前記搬送路に沿って搬送し、前記通帳挿入口から放出し、また、前記放出状態設定手段により通帳を閉じた状態で裏表紙を上にして放出する設定がなされている場合には、前記通帳閉じ手段の前記第２の通帳閉じ機構により裏表紙を上にして閉じた通帳を前記通帳搬送手段により前記搬送路に沿って搬送し、前記通帳挿入口から放出する手段である、
請求項１に記載の通帳処理装置。
【請求項３】
前記放出状態設定手段は、前記通帳搬送手段により通帳を本体内部に取り込む毎に、前記通帳挿入口からこの通帳を放出するときの状態にかかる設定入力を受け付ける手段である、
請求項１または２に記載の通帳処理装置。
【請求項４】
前記放出状態設定手段は、前記通帳搬送手段が本体に取り込んだ通帳から、この通帳を前記通帳挿入口から放出するときの状態を示すデータを読み取り、該データに基づいて前記通帳挿入口から放出する通帳の状態を設定する手段である、
請求項１または２に記載の通帳処理装置。
【発明の詳細な説明】
【技術分野】
【０００１】
この発明は、銀行等の金融機関に設置されている、入金取引や出金取引等の取引処理を行うＡＴＭ等に適用される通帳処理装置に関する。
【背景技術】
【０００２】
従来、利用者の操作に基づいて、入金取引、出金取引、振込取引、振替取引等、様々な種類の取引を行うＡＴＭがあった。銀行等の金融機関では、ＡＴＭを設置することにより、利用者の利便性の向上を図っている。ＡＴＭは、取引処理時に受け付けた利用者の通帳に対して取引後の預金残高や取引内容（以下、総称して取引明細と言う。）を印字し、当該通帳を利用者に返却する通帳処理部を備えている。利用者は、通帳の印字開始頁を開いた状態で、当該通帳を通帳挿入口に挿入する。通帳処理部は、通帳挿入口に開いた状態で挿入された冊子状の通帳を取り込んで印字位置まで搬送し、取引明細を印字する。通帳処理部は、取引明細の印字途中に、印字している頁の印字欄が一杯になると、この通帳の頁を１枚捲り、未印字の取引明細を捲った頁に印字する。通帳処理部は、通帳に対する取引明細の印字が完了すると、取引明細を印字した最終印字欄の頁を開いた状態で通帳を通帳挿入口へ搬送し、この通帳挿入口から放出することにより、当該通帳を利用者に返却する。
【０００３】
また、印字満了になった通帳を受け付け、新規通帳を発行する通帳発行装置が特許文献１等で提案されている。この特許文献１に記載されている通帳発行装置では、利用者が印字満了になった通帳を、最終印字頁を開いた状態で通帳挿入口に挿入する。通帳発行装置は、挿入された通帳を取り込んで、最終印字行の下に「繰越」を印字するとともに、この通帳を閉じて表表紙および裏表紙のそれぞれに「繰越済み」を印字する。また、本体に予め収納されている新規通帳を１冊繰り出し、顧客名や口座番号等を繰り出した新規通帳の表表紙に印字するとともに、裏表紙に貼り付けられている磁気ストライプに口座番号等の情報を磁気データで記録する。さらに、新規通帳の印字開始頁を開いて、この印字開始頁に繰越情報を印字する。そして、印字満了になった通帳、および新規通帳をそれぞれ通帳挿入口から放出する。
【特許文献１】特開平１０−１０９４５１号公報
【発明の開示】
【発明が解決しようとする課題】
【０００４】
しかしながら、従来のＡＴＭは、上述したように、取引明細を印字した最終印字欄の頁を開いた状態で通帳挿入口から放出し、当該通帳を利用者に返却していた。また、特許文献１に記載されている通帳発行装置も、新規通帳については、繰越情報を印字した頁を開いた状態で通帳挿入口から放出していた。このため、通帳に印字されている取引明細の履歴が周囲にいる他人に見られたり、ＡＴＭ本体等に不正に取り付けられたカメラで盗撮される危険性があり、個人情報の漏洩に対するセキュリティが十分に確保されていないという問題があった。
【０００５】
この発明の目的は、通帳に印字されている取引明細の履歴が、周囲にいる他人に見られたり、カメラで盗撮されるのを防止することにより、個人情報の漏洩に対するセキュリティを向上させた通帳処理装置を提供することにある。
【課題を解決するための手段】
【０００６】
この発明の通帳処理装置は、上記課題を解決するために、以下の構成を備えている。
【０００７】
（１）開いた状態で通帳挿入口に挿入された冊子状の通帳を搬送路に沿って本体内部に取り込む方向、および本体内部に取り込んだ冊子状の通帳を前記搬送路に沿って前記通帳挿入口から放出する方向に選択的に搬送する通帳搬送手段と、
前記通帳搬送手段により開いた状態で印字位置に搬送された通帳に対して、この開かれている頁に印字する印字手段と、
前記搬送手段により開いた状態で通帳閉じ位置に搬送された通帳を閉じる通帳閉じ手段と、
前記通帳搬送手段により本体内部に取り込んだ通帳を前記通帳挿入口から放出するときに、この通帳を開いた状態で放出するか、または閉じた状態で放出するかの設定を行う放出状態設定手段と、
前記放出状態設定手段により、通帳を閉じて放出する設定がなされている場合、前記通帳搬送手段が開いた状態で本体に取り込んだ通帳を、前記通帳閉じ手段で閉じた後に、この閉じた通帳を前記通帳搬送手段により前記搬送路に沿って搬送し、前記通帳挿入口から放出する放出制御手段と、を備えている。
【０００８】
この構成では、放出状態設定手段において、通帳挿入口から放出される通帳について、閉じた状態で放出するか、開いた状態で放出するかの設定がなされる。放出状態設定手段において通帳を閉じて放出する設定が行われていると、放出制御手段が、印字手段で取引内容等を印字した通帳を、通帳閉じ手段に閉じさせる、そして、この閉じた通帳を通帳搬送手段に搬送させて通帳挿入口から放出する。したがって、放出状態設定手段における設定を、通帳を閉じた状態で通帳挿入口から放出する、とした設定を行うことにより、通帳挿入口から放出された通帳に印字されている取引明細の履歴が、周囲にいる他人に見られたり、カメラで盗撮されるのを防止することができる。したがって、個人情報の漏洩等に対するセキュリティを十分に確保することができる。
【０００９】
また、放出状態設定手段を備えているので、取引内容を印字した頁を開いた状態で通帳を放出することもできる。例えば、取引内容等が印字された頁を開いた状態で放出しても、他人に見られたり、カメラで盗撮される可能性が極めて低い環境、すなわち個人情報の漏洩に対するセキュリティが十分に確保されている環境、で使用されていれば、通帳を開いた状態で放出しても特に問題はない。一方、放出された通帳を受け取る利用者にとっては、今回印字された取引内容等の確認にかかる手間、今回取引内容が印字された頁を開く手間、が無駄に増加させられることがない。
【００１０】
このため、本体の使用環境等に応じて、通帳挿入口から放出される通帳について、閉じた状態で放出するか、開いた状態で放出するかの設定が行える。
【００１１】
（２）前記通帳閉じ手段は、表表紙を上にして通帳を閉じる第１の通帳閉じ機構、および裏表紙を上にして通帳を閉じる第２の通帳閉じ機構を有する手段であり、
前記放出状態設定手段は、通帳を閉じた状態で表表紙を上にして放出するか、裏表紙を上にして放出するかの設定を行う手段であり、
前記放出制御手段は、前記放出状態設定手段により通帳を閉じた状態で表表紙を上にして放出する設定がなされている場合には、前記通帳閉じ手段の前記第１の通帳閉じ機構により表表紙を上にして閉じた通帳を前記通帳搬送手段により前記搬送路に沿って搬送し、前記通帳挿入口から放出し、また、前記放出状態設定手段により通帳を閉じた状態で裏表紙を上にして放出する設定がなされている場合には、前記通帳閉じ手段の前記第２の通帳閉じ機構により裏表紙を上にして閉じた通帳を前記通帳搬送手段により前記搬送路に沿って搬送し、前記通帳挿入口から放出する手段である。
【００１２】
この構成では、通帳を閉じて放出するときに、表表紙を上にして放出するか、裏表紙を上にして放出するかの設定が行える。通常、通帳の表表紙には顧客名や口座番号等が印字されていることから、裏表紙を上にして放出する設定を行うことにより、これらの印字内容についても、周囲にいる他人に見られたり、カメラで盗撮されるのを防止できる。また、表表紙を上にして放出する設定を行うことにより、放出された通帳を受け取る利用者に、その通帳が自分の通帳であるかどうかを速やかに確認させることができる。
【００１３】
（３）前記放出状態設定手段は、前記通帳搬送手段により通帳を本体内部に取り込む毎に、前記通帳挿入口からこの通帳を放出するときの状態にかかる設定入力を受け付ける手段である。
【００１４】
この構成では、通帳をどのような状態で放出させるかについて、利用者が自分の使い勝手に応じて設定することができ、利用者に対するサービスの向上が図れる。
【００１５】
（４）前記放出状態設定手段は、前記通帳搬送手段が本体に取り込んだ通帳から、この通帳を前記通帳挿入口から放出するときの状態を示すデータを読み取り、該データに基づいて前記通帳挿入口から放出する通帳の状態を設定する手段である。
【００１６】
この構成では、通帳をどのような状態で放出させるかについて、利用者が特別な操作を行うことなく、常に自分の使い勝手に応じた状態で通帳が放出される。したがって、利用者の利便性の向上も図れる。
【発明の効果】
【００１７】
この発明によれば、通帳に印字されている取引明細の履歴が、周囲にいる他人に見られたり、カメラで盗撮されるのを防止できる。したがって、個人情報の漏洩等に対するセキュリティを十分に確保することができる。
【００１８】
また、放出状態設定手段を備えているので、取引内容を印字した頁を開いた状態で通帳を放出することもできるので、すでに個人情報の漏洩等に対するセキュリティが確保されている環境で使用する場合には、利用者における、今回印字された取引内容等の確認にかかる手間を無駄に増加させるのを防止できる。
【発明を実施するための最良の形態】
【００１９】
以下、この発明の実施形態にかかる通帳処理装置を適用したＡＴＭについて詳細に説明する。
【００２０】
図１は、この発明の実施形態にかかる通帳処理装置を適用したＡＴＭの主要部の構成を示すブロック図であり、図２は、このＡＴＭの外観を示す図である。このＡＴＭ１は、本体に設けられた各部の動作を制御する制御部２を備えている。また、ＡＴＭ１は、カードを処理するカード処理部３と、通帳を処理する通帳処理部４と、伝票を発行する伝票発行部５と、紙幣を処理する紙幣処理部６と、硬貨を処理する硬貨処理部７と、入力操作の受け付けや入力操作にかかるガイダンス表示等を行う操作部８と、利用者の有無を検知する利用者検知部９と、センタに設置されたホスト装置（不図示）等の上位装置との通信を制御する通信部１０と、を備えている。
【００２１】
カード処理部３は、カード挿入口３ａから本体に挿入された利用者のカードを本体内部に取り込み、該カードに記録されているデータの読み取りや、該カードに対するデータの書き込みを行う。カード処理部３は、カードを搬送する搬送機構を備えている。カードには、口座番号等のデータが記録されている。また、カード処理部３は、本体内部に取り込んだカードをカード挿入口３ａから放出する。カード処理部３は、使用されるカードの種類、例えば磁気カード、接触式ＩＣカード、非接触式ＩＣカード、に応じた構成である。また、カード処理部３は、複数種類のカードに対応させた構成であってもよい。さらに、カード処理部３は、カード挿入口３ａにおけるカードの挿入検知や、カード挿入口３ａにおけるカードの抜き取り検知を行うためのセンサを有している。このセンサは、例えば発光部と受光部とをカードの搬送路を挟んで対向させた透過型のセンサで構成し、カード挿入口３ａ付近の本体内部側に設けている。
【００２２】
通帳処理部４は、通帳挿入口４ａから本体に挿入された利用者の通帳を本体内部に取り込み、この通帳に対する処理を行う。通帳処理部４は、通帳を搬送する搬送機構、通帳貼り付けられている磁気ストライプに対するデータの読み取りや書き込みを行うデータ処理機能、通帳に取引内容等を印字する印字機能、通帳の頁を捲ったり、通帳を閉じる捲り／閉じ機構等を備えている。また、通帳処理部４は、本体内部に取り込んだ通帳を通帳挿入口４ａから放出する。さらに、通帳処理部４は、通帳挿入口４ａにおける通帳の挿入検知や、通帳挿入口４ａにおける通帳の抜き取り検知を行うためのセンサを有している。このセンサも、例えば発光部と受光部とを通帳の搬送路を挟んで対向させた透過型のセンサで構成し、通帳挿入口４ａ付近の本体内部側に設けている。この通帳処理部４の詳細な構成については後述する。
【００２３】
伝票発行部５は、取引の内容を印字した伝票を発行するとともに、この伝票を伝票放出口５ａから放出する。伝票発行部５は、伝票放出口５ａにおける伝票の抜き取り検知を行うためのセンサを有している。このセンサも、例えば発光部と受光部とを伝票の搬送路を挟んで対向させた透過型のセンサで構成され、伝票放出口５ａ付近の本体内部側に設けている。伝票発行部５は、伝票を搬送する搬送機構を備えている。
【００２４】
紙幣処理部６は、紙幣投入口６ａから投入された紙幣（入金紙幣）や、紙幣投入口６ａから放出する紙幣（出金紙幣）について、その真偽や金種を鑑別する紙幣鑑別部を有している。紙幣投入口６ａには蓋が設けられており、紙幣処理部６がこの蓋を開閉する。また、この蓋の下には、入金紙幣や出金紙幣を一時的に貯留する貯留部が設けられている。また、紙幣投入口６ａから本体に投入され、貯留部に貯留されている入金紙幣を本体内部に取り込んだり、本体内部に設けられたカートリッジに収納されている出金紙幣を貯留部に搬送する紙幣搬送機構を備えている。さらに、紙幣処理部６は、入金紙幣や出金紙幣を貯留する貯留部における紙幣の有無を検知するセンサを有している。このセンサは、例えば発光部と受光部とを、貯留部に貯留される紙幣を挟んで対向する位置に配置した透過型のセンサで構成される。ＡＴＭ１は、この透過型センサを貯留部における紙幣の幅方向に複数並べている。
【００２５】
硬貨処理部７は、硬貨投入口７ａから投入された硬貨（入金硬貨）や、硬貨投入口７ａから放出する硬貨（出金硬貨）について、その真偽や金種を鑑別する硬貨鑑別部を有している。硬貨投入口７ａには蓋が設けられており、硬貨処理部７がこの蓋を開閉する。また、この蓋の下には、入金硬貨や出金硬貨を一時的に貯留する貯留部が設けられている。また、硬貨投入口７ａから投入され、貯留部に貯留されている入金硬貨を本体内部に取り込んだり、本体内部に設けられたカートリッジに収納されている出金硬貨を貯留部に搬送する硬貨搬送機構を備えている。さらに、硬貨処理部７は、入金硬貨や出金硬貨を貯留する貯留部における硬貨の有無を検知するセンサを有している。このセンサは、例えば発光部と受光部とを、貯留部に貯留される硬貨を挟んで対向する位置に配置した透過型のセンサで構成される。ＡＴＭ１は、この透過型のセンサを貯留部の幅方向に複数並べている。
【００２６】
操作部８は、表示器８ａおよびこの表示器８ａの上に設けたタッチパネル８ｂを有している。操作部８は、操作ガイダンス等を表示器８ａにおいて表示するとともに、タッチパネル８ｂで利用者の入力操作を検知し、当該入力を受け付ける構成である。また、操作部８には、利用者に対して音声でメッセージを出力する音声出力部が設けられている。また、利用者検知部９は、本体正面に設けられた利用者検知センサ９ａを有し、この利用者検知センサ９ａにより、本体正面に人がいるかどうか、すなわち利用者がいるかどうか、を検知する。この利用者検知センサ９ａは、例えば発光部と、受光部を有する反射型のセンサで構成される。さらに、通信部１０は、専用回線を介して、接続されている上位装置との通信を制御する。この上位装置とは、例えばセンタに設置されているホスト装置である。ＡＴＭ１は、専用回線を介して直接上位装置に接続されていてもよいし、他の装置を介して上位装置に接続されていてもよい。
【００２７】
また、カード挿入口３ａ、通帳挿入口４ａ、伝票放出口５ａ、紙幣投入口６ａ、および硬貨投入口７ａの近傍には、それぞれフリッカランプ３ｂ、４ｂ、５ｂ、６ｂ、７ｂが設けられている。フリッカランプ３ｂ、４ｂ、５ｂ、６ｂ、７ｂは、対応する処理部により、その点灯が制御される。
【００２８】
ここで、通帳処理部４の構成について説明する。図３は、通帳処理部の構成を示す図である。通帳処理制御部４０は、制御部２からの指示等にしたがって、以下に示す各構成の動作を制御する。通帳を搬送する搬送路に沿って搬送ローラ４１が並べられている。各搬送ローラ４１は、対向させた一対の搬送ローラ４１ａ、４１ｂで構成されている。搬送ローラ４１は、所謂櫛歯ローラである。この実施形態では、搬送ローラ４１ａが駆動ローラであり、搬送ローラ４１ｂが従動ローラである。図３では、搬送ローラ４１ａを駆動するモータや、このモータの駆動を制御するドライバについては、図示を省略している。また、図３では、搬送ローラ４１が設けられているピッチを適当に示しているが、このピッチは実際には閉じた通帳２０の搬送方向の長さよりも短いピッチである。また、通帳処理部４は、搬送ローラ４１ａの回転方向を切り換えることにより、通帳挿入口４ａに挿入された通帳２０を本体内部に取り込む方向（図３における右方向）、および本体に取り込んだ通帳２０を通帳挿入口４ａから放出する方向（図３における左方向）に搬送する。さらに、通帳処理部４は、通帳挿入口４ａにおける通帳の挿入を検知するセンサ、通帳にバーコードで印刷されているデータ（開かれている頁の頁数等）を読み取る光学読取ヘッド４３、通帳２０に貼り付けられている磁気ストライプに対するデータの読取、および書込を行う磁気ヘッド４２、通帳２０に取引内容を印字する印字ヘッド４４、通帳２０の頁を捲ったり、通帳２０を閉じる捲り／閉じ部４５が搬送路に沿って設けられている。図３では、磁気ヘッド４２、光学ヘッド４３、印字ヘッド４４を動作させるドライバについては図示を省略している。
【００２９】
図４、および図５は、捲り／閉じ部の構成を示す図である。この捲り／閉じ部４５は、通帳２０の頁を１枚ずつ捲ったり、開かれている通帳２０を閉じるための構成である。捲り／閉じ部４５は、図３に示すように、略Ｔ字型の頁捲りアーム５１を、搬送路の上方に設けたフレーム５０に揺動自在に取り付けている。頁捲りアーム５１は、支点５１ａを中心に揺動する。この頁捲りアーム５１は、図示していないソレノイドにより、図４に示す位置と、図５に示す位置との間で揺動する。フレーム５０の側壁が、頁捲りアーム５１の揺動幅を規制する。また、頁捲りアーム５１の下端には、頁捲り部材５２が回転自在に取り付けられている。この頁捲り部材５２は、略扇形状で、ゴム等の高摩擦部材を外周部に付加したものであり、支点５２ａを中心に回転する。頁捲り部材５２は、図示していないモータにより回転される。頁捲りアーム５１は、通帳２０の幅方向の略中心に頁捲り部材５２が当接する位置に取り付けている。
【００３０】
また、通帳２０の搬送路は、搬送する通帳２０の両側部に位置するように配置したペーパガイド６０により構成されている。このペーパガイド６０は、対向配置した２枚のガイド板６０ａ、６０ｂを備え、通帳２０は、両側部がこれら２枚のガイド板６０ａ、６０ｂの間に挿入された状態で搬送される。図示するように、頁捲りアーム５１の下側において、ガイド板６０ｂが存在しない部分を設けており、この部分にシャッタ６１を取り付けている。シャッタ６１は、支点６１ａを中心に回動自在に取り付けられており、図４に示す状態では、ガイド板６０ｂとして機能する。シャッタ６１は、ソレノイドやモータ等の駆動部（不図示）により、図４に示す状態と、図５に示す状態との間で回動される。シャッタ６１は、その両側に位置するガイド板６０ｂとの端部において、櫛歯状に組み合う。また、各組の搬送ローラ４１も、駆動ローラ４１ａと、従動ローラ４１ｂとが櫛歯状に組み合う構成である。また、フレーム５０には、図５に示す状態の頁捲りアーム５１と連携して、搬送されている通帳２０の先端を一括して上方に案内する円弧形状のガイド板６２が形成されている。さらに、捲り／閉じ部４５には、図４、および図５に示すように、ガイド板６２によって案内された通帳２０の搬送を制限するストッパ６３が設けられている。通帳２０は、その先端がストッパ６３に当たる位置で搬送が制限される。ガイド板６２は、頁捲りアーム５１の揺動動作に干渉しないように、頁捲りアーム５１に対して搬送される通帳２０の幅方向にずらした位置に設けている。
【００３１】
さらに、通帳２０の搬送路の下方には、ソレノイド７０により駆動され、搬送路の下方に位置し、上方に突出していない状態（図４に示す状態）と搬送路の上方に突出している状態（図５に示す状態）と、の間で動作される閉じガイド７１を備えている。この閉じガイド７１は、搬送路の上方に突出している状態であるとき、通帳２０の先端を頁捲りアーム５１や円弧形状のガイド板６２へ案内する。ソレノイド７０は、リンク７２を介してリンク７３に取り付けられている。リンク７３は、支点７３ａに回動自在に取り付けられている。そして、このリンク７３が支点７１ａに回動自在に取り付けられた閉じガイド７１に連結されている。ソレノイド７０を励磁することで、図５に示すように、閉じガイド７１が搬送路の上方に突出する。
【００３２】
この捲り／閉じ部４５が、通帳２０の頁を捲ったり、通帳２０を閉じる動作を行う。ここで、捲り／閉じ部４５における通帳２０の頁を捲る動作について説明する。捲り／閉じ部４５は、通常図４に示す状態である。通帳処理部４は、この状態で通帳２０の後端部が頁捲りローラ５２に対向する位置まで搬送し、通帳２０の搬送を停止する（図６参照）。通帳処理部４は、次にシャッタ６１を回動させ、シャッタ６１がガイド板６１ｂと組み合っていない状態にする（図７参照）。そして、頁捲りローラ５２を回転させる。これにより、通帳２０の開かれている頁が捲り上げられ、この捲られた頁が頁捲りアーム５１の後側（シャッタ６１側）に移動する（図８参照）。その後、通帳処理部４が、通帳２０を印字ヘッド４４側に搬送する。これにより、通帳２０は、１枚捲られた頁が開かれている状態になる。通帳処理部４は、この後、シャッタ６１を回動させて、シャッタ６１がガイド板６１ｂと組み合っている状態に戻す。ここでは、この動作を頁捲り動作と呼ぶ。
【００３３】
また、通帳処理部４は、通帳２０の裏表紙が捲られるまで、頁捲りローラ５２を回転させることで、通帳２０を裏表紙を上にして閉じることができる。
【００３４】
次に、通帳２０を表表紙を上にして閉じるときの動作について説明する。通帳処理部４は、図４に示す状態で通帳２０を搬送し、この通帳２０の先端部がシャッタ６１の手前に達すると、通帳２０の搬送を停止する（図９参照）。通帳処理部４は、次にシャッタ６１を回動させ、シャッタ６１がガイド板６１ｂと組み合っていない状態にする。また、頁捲りアーム５１を揺動させるとともに、ソレノイド７０を励磁し、閉じガイド７１を搬送路の上方に突出させた状態にする（図１０参照）。そして、通帳２０を閉じガイド７１側に搬送する。これにより、通帳２０の先端が、閉じガイド７１によって上方に案内され、さらに頁捲りアーム５１、ガイド板６２に案内されてストッパ６３に達する（図１１参照）。通帳処理部４は、通帳２０の先端がストッパ６３に達すると、通帳２０の搬送を停止する。ここで、通帳処理部４は、ソレノイド７０の励磁を停止する。これにより、閉じガイド７１が、搬送路の下側に下がる（図１２参照）。
【００３５】
なお、閉じガイド７１は、比較的柔軟性の高い弾性体で形成しており、ソレノイド７０の励磁が停止されたときに、通帳２０に引っ掛かって停止することはなく、変形して搬送路の下側に下がる。
【００３６】
通帳処理部４は、上方に案内した通帳２０の先端側が折り目で折れて、当該通帳２０が閉じられる位置まで搬送する（図１３参照）。これにより、通帳２０を、表表紙を上にして閉じた状態にできる。通帳処理部４は、この状態でシャッタ６１を回動させて、シャッタ６１がガイド板６１ｂと組み合っている状態に戻すとともに、頁捲りアーム５１を揺動させて元の位置に戻す。ここでは、この動作を一気閉じ動作と呼ぶ。
【００３７】
次に、この実施形態のＡＴＭ１の動作について説明する。図１４は、この実施形態のＡＴＭの動作を示すフローチャートである。ＡＴＭ１は、利用者検知部９において利用者を検知すると（ｓ１）、取引内容にかかる入力を受け付ける（ｓ２）。ｓ２では、これから実行する取引に応じて、カード、通帳、入金紙幣、入金硬貨等の媒体の中で必要な媒体の挿入や投入を受け付けるとともに、操作部８において利用者による取引種別の選択にかかる入力や、利用者の暗証番号にかかる入力、出金金額にかかる入力等を必要に応じて受け付ける。このとき、操作部８は、表示器８ａに利用者に対する操作ガイダンスや、入力操作画面を表示し、タッチパネル８ｂ上における利用者の押下位置を検知することで、利用者の入力操作を検知する。
【００３８】
ＡＴＭ１は、ｓ２で今回の取引を行うにあたり、必要な媒体の挿入や投入、および利用者による入力の全てを受け付けると、通信部１０から上位装置に対して取引可否の認証要求を送信し（ｓ３）、上位装置からの認証結果を待つ（ｓ４）。この認証要求には、ｓ２で取得したデータ、例えば口座番号、暗証番号、が含まれている。ＡＴＭ１は、上位装置からの認証結果を通信部１０において受信すると、取引の可否を判断し（ｓ５）、取引可であれば、取引処理を行う（ｓ６）。ｓ６では、通帳処理部４における通帳への印字処理、伝票発行部５における伝票の発行処理、紙幣処理部６における紙幣の入出金処理、硬貨処理部７における硬貨の入出金処理等を、必要に応じて行う。また、ＡＴＭ１は、ｓ５で取引不可であると判定すると、エラー処理を行い（ｓ７）、本処理を終了する。
【００３９】
なお、ｓ６では、出金紙幣については紙幣投入口６ａの下に位置する貯留部まで搬送し、この貯留部に出金紙幣を貯留するが、紙幣投入口６ａに設けられている蓋を開しない。また、出金硬貨についても硬貨投入口７ａの下に位置する貯留部まで搬送し、この貯留部に出金硬貨を貯留するが、硬貨投入口７ａに設けられている蓋を閉しない。
【００４０】
また、ｓ６において、通帳への印字処理を行っているときに、印字している頁が一杯になると、当該通帳２０を印字位置から捲り／閉じ部４５へ搬送し、捲り／閉じ部４５において、上述した頁捲り動作を行う。そして、この通帳２０を再度印字位置に戻し、未印字の取引明細を印字する。これにより、ＡＴＭ１は印字すべき取引明細を通帳２０に全て印字する。
【００４１】
ＡＴＭ１は、ｓ６にかかる取引処理が終了すると、今回の取引において、通帳を受け付けているかどうかを判定する（ｓ８）。ＡＴＭ１は、ｓ８で通帳２０を受け付けていると判定すると、通帳２０の放出状態の選択を受け付ける（ｓ９、ｓ１０、ｓ１１）。ｓ９〜ｓ１１では、表示器８ａに図１５に示す画面を表示し、
（１）取引内容を印字した頁を開いて放出
（２）表表紙を上にして閉じて放出
（３）裏表紙を上にして閉じて放出
の３つの中から、利用者による通帳２０の放出状態の選択を受け付ける。このとき、通帳２０は、印字位置に位置している。
【００４２】
ＡＴＭ１は、通帳２０の放出状態として、「取引内容を印字した頁を開いて放出」が選択された場合、媒体の放出処理を実行する（ｓ１２）。このとき、通帳２０は、印字位置に位置しており、印字位置から通帳挿入口４ａへ搬送して放出する。また、カード、紙幣、硬貨等の他の種類の媒体についても、必要に応じて放出する。
【００４３】
また、ＡＴＭ１は、通帳２０の放出状態として、「表表紙を上にして閉じて放出」が選択された場合、通帳２０を印字位置から通帳を捲り／閉じ部４５へ搬送し、上述した一気閉じ動作を実行し（ｓ１３）、その後、ｓ１２で媒体の放出処理を実行する。これにより、通帳挿入値４ａにおいて、通帳２０が表表紙を上にして閉じられた状態で放出される。
【００４４】
また、ＡＴＭ１は、通帳２０の放出状態として、「裏表紙を上にして閉じて放出」が選択された場合、通帳２０を印字位置から捲り／閉じ部４５に搬送し、捲り／閉じ部４５において、通帳２０の裏表紙を捲るまで、頁捲りを繰り返し、通帳２０を閉じる（ｓ１４）。ｓ１４にかかる処理の実行により、通帳２０は、裏表紙を上にして閉じた状態になる。そして、ｓ１２で媒体の放出処理を実行する。これにより、通帳挿入値４ａにおいて、通帳２０が裏表紙を上にして閉じられた状態で放出される。
【００４５】
このように、この実施形態のＡＴＭ１では、通帳２０を閉じた状態で放出することができるので、通帳２０に印字されている取引明細が、周囲にいる他人に見られたり、カメラで盗撮されるのを防止することができ、個人情報の漏洩に対するセキュリティを十分に確保することができる。また、通帳２０を、閉じた状態で放出するか、開いた状態で放出すかの選択を利用者に行わせる構成としたので、利用者が自分の使い勝手に応じて通帳２０の放出状態を選択でき、利用者に対するサービスの向上も図れる。さらに、通帳２０の裏表紙を上にして放出する選択も行えるので、通帳２０の表表紙に印字されている口座番号や利用者の氏名等についても、周囲にいる他人に見られたり、カメラで盗撮されるのを防止することができる。
【００４６】
また、上記実施形態では、通帳２０の放出状態を利用者に選択させるとしたが、係員等が機器単位で設定する構成としてもよい。このようにすれば、ＡＴＭ１を、使用環境に応じて動作させることができる。
【００４７】
また、上記実施形態では、通帳２０の放出状態を利用者に選択させる構成としたが、通帳２０に貼り付けられている磁気ストライプに、当該通帳２０を放出するときの状態を記録しておき、通帳２０を受け付けたときに、磁気ストライプから当該通帳２０を放出するときの状態を読み取り、ここで読み取った状態で放出する構成としてもよい。このようにすれば、利用者が、通帳２０の放出状態の選択にかかる操作を行う必要がなく、操作性の向上が図れる。
【００４８】
また、通帳２０を、裏表紙を上にして一気に閉じれるように、図４等に示した捲り／閉じ部４５を左右反転させた構成としてもよい。この構成では、通帳２０を表表紙を上にして閉じるときには、表表紙を捲るまで頁捲りを繰り返す。また、図４示した構成と、この左右反転させた構成とを組みあわせ、通帳２０を、表表紙を上にして一気に閉じられ、且つ、裏表紙を上にしても一気に閉じられる構成としてもよい。ただし、一気閉じ動作や、頁捲り動作における、通帳２０の停止位置や、頁捲りアーム５１の状態遷移等を、この左右反転させた構成に応じて変化させる。
【００４９】
なお、通帳２０の放出時に通帳２０に貼り付けられている磁気ストライプへのデータの書き込みを行うＡＴＭ１では、裏表紙を上にして閉じた状態で放出する場合を考慮し、搬送路を挟んで磁気ヘッド４２を対向させて配置してもよい。
【図面の簡単な説明】
【００５０】
【図１】この発明の実施形態であるＡＴＭの主要部の構成を示すブロック図である。
【図２】この発明の実施形態であるＡＴＭの外観を示す図である。
【図３】この発明の実施形態であるＡＴＭの通帳処理部の構成を示す図である。
【図４】この発明の別の実施形態にかかるＡＴＭの通帳処理部の捲り／閉じ部の構成を示す図である。
【図５】この発明の別の実施形態にかかるＡＴＭの通帳処理部の捲り／閉じ部の構成を示す図である。
【図６】この発明の別の実施形態にかかるＡＴＭの通帳処理部の捲り／閉じ部における頁捲り動作を説明する図である。
【図７】この発明の別の実施形態にかかるＡＴＭの通帳処理部の捲り／閉じ部における頁捲り動作を説明する図である。
【図８】この発明の別の実施形態にかかるＡＴＭの通帳処理部の捲り／閉じ部における頁捲り動作を説明する図である。
【図９】この発明の別の実施形態にかかるＡＴＭの通帳処理部の捲り／閉じ部における一気閉じ動作を説明する図である。
【図１０】この発明の別の実施形態にかかるＡＴＭの通帳処理部の捲り／閉じ部における一気閉じ動作を説明する図である。
【図１１】この発明の別の実施形態にかかるＡＴＭの通帳処理部の捲り／閉じ部における一気閉じ動作を説明する図である。
【図１２】この発明の別の実施形態にかかるＡＴＭの通帳処理部の捲り／閉じ部における一気閉じ動作を説明する図である。
【図１３】この発明の別の実施形態にかかるＡＴＭの通帳処理部の捲り／閉じ部における一気閉じ動作を説明する図である。
【図１４】この発明の別の実施形態にかかるＡＴＭの動作を示すフローチャートである。
【図１５】この発明の実施形態にかかるＡＴＭにおける、通帳を放出する状態を選択するときに表示される画面例を示す図である。
【符号の説明】
【００５１】
１−ＡＴＭ
２−制御部
３−カード処理部
４−通帳処理部
５−伝票発行部
６−紙幣処理部６
７−硬貨処理部
８−操作部８
９−利用者検知部
４５−捲り／閉じ部
【図１】
2007328452.tif 000003
【図２】
2007328452.tif 000004
【図３】
2007328452.tif 000005
【図４】
2007328452.tif 000006
【図５】
2007328452.tif 000007
【図６】
2007328452.tif 000008
【図７】
2007328452.tif 000009
【図８】
2007328452.tif 000010
【図９】
2007328452.tif 000011
【図１０】
2007328452.tif 000012
【図１１】
2007328452.tif 000013
【図１２】
2007328452.tif 000014
【図１３】
2007328452.tif 000015
【図１４】
2007328452.tif 000016
【図１５】
2007328452.tif 000017